(57)【要約】      （修正有）【課題】人感センサに加えて、蓋の開閉状態を検出する蓋開閉センサを設け、省エネモードのコントロールを人感センサの検出結果だけでなく、蓋の開閉結果との関係において行うことにより、蓋の開閉時における誤操作を生じさせないようにする。【解決手段】内釜と、この内釜を取り出し可能に収納する炊飯器本体と、この炊飯器本体内にあって上記内釜を加熱する内釜加熱手段と、上記炊飯器本体の上部に開閉可能に設けられ、操作部、表示部を有する蓋体とからなる電気炊飯器であって、上記蓋体の操作部および表示部を省エネ状態に制御して消費電力を低減する省エネモードを有するとともに、上記炊飯器本体に対するユーザーの存在を検出する人感センサおよび上記蓋体の開閉を検出する蓋開閉センサを備え、それら両センサの検出結果に基づいて、上記省エネモードの制御を行うことにより、蓋開閉時の誤操作を防止するようにした。【選択図】図１２
2015228952.tif 000002
【特許請求の範囲】
【請求項１】
内釜と、この内釜を取り出し可能に収納する炊飯器本体と、この炊飯器本体内にあって上記内釜を加熱する内釜加熱手段と、上記炊飯器本体の上部に開閉可能に設けられ、操作部、表示部を有する蓋体とからなる電気炊飯器であって、上記蓋体の操作部および表示部を省エネ状態に制御して消費電力を低減する省エネモードを有するとともに、上記炊飯器本体に対するユーザーの存在を検出する人感センサおよび上記蓋体の開閉を検出する蓋開閉センサを備え、それら両センサの検出結果に基づいて、上記省エネモードの制御を行うようにしたことを特徴とする電気炊飯器。
【請求項２】
蓋開閉センサが蓋体の開放を検出したときは、人感センサの検出結果よりも蓋開閉センサの検出結果を優先し、操作部および表示部を表示および操作が不能な省エネモードに制御するように構成されていることを特徴とする請求項1記載の電気炊飯器。
【請求項３】
蓋開閉センサが遮光物移動型の傾斜センサよりなり、同傾斜センサが蓋体の開状態または閉状態を検出した場合、所定の時間をおいて、操作部および表示部を省エネモードまたは非省エネモードに制御するように構成されていることを特徴とする請求項1又は２記載の電気炊飯器。
【請求項４】
電源回路に電源を通電した直後の所定の時間内は、操作部および表示部を操作および表示可能な非省エネモードに制御するようにしたことを特徴とする請求項１、２または３記載の電気炊飯器。
【発明の詳細な説明】
【技術分野】
【０００１】
この出願の発明は、省エネモードを有するとともに人感センサを備え、ユーザーが所定の対応エリア内にいないときには、省エネモードに維持することによって消費電力を節約するようにした電気炊飯器に関するものであり、さらに詳しくは同人感センサによってユーザーが居ることを検知することによって、自動的に省エネモードを解除するようにした電気炊飯器の構成に関するものである。
【背景技術】
【０００２】
最近の電気炊飯器では、通常の白米炊飯のみでなく、たとえば玄米や雑穀の炊飯、また炊き込み、おこわ、おかゆなどの炊飯機能、早炊き、エコ炊き機能に加え、それらの各場合における火加減の調節や仕上がりレベルの調節、音声ガイド、さらには調理、内鍋洗浄等の機能を備えたものまで提供されるようになっている。
【０００３】
このような多くの機能を備えた電気炊飯器では、それら各機能の操作設定を行うための操作パネル部分における操作スイッチの数も多く、それらの操作に必要な情報を表示するための表示パネル部分の表示量も多い（たとえば特許文献１に示される電気炊飯器の構成を参照）。
【０００４】
このような構成の電気炊飯器の場合、当然ながら、電源回路にＡＣ電源が接続され、その操作設定を待っている操作待機状態にあっては、マイコンはもちろん、操作パネル側操作基板上の各種スイッチ回路を活性化状態に維持するとともに、表示パネル側の液晶等表示パネル駆動回路を駆動状態に維持しておく必要があることから、待機時間が長くなると相当に電力を消費してしまう問題がある。
【０００５】
そこで、このような問題を解決するために、最近では、マイコン制御ユニットにリアルタイムクロック機能（ＲＴＣ機能）を付加し、所定の時間以上必要な操作設定行為がなされなかった場合には、自動的に周辺回路の電源をセーブ（またはＯＦＦに）する省エネモードに移行させて、消費電力の節減を図るようにしたものが提案されるようになっている。  そして、このような省エネモードを採用した電気炊飯器の場合、当該省エネモードから操作設定が可能な通常の待機状態への復帰は、専用の省エネモード解除スイッチを押すか、又はいずれかの操作設定スイッチを押すことによって行うようになっているものが一般的である。
【先行技術文献】
【特許文献】
【０００６】
【特許文献１】特開２０１３−２４４１０７号公報
【発明の概要】
【発明が解決しようとする課題】
【０００７】
たしかに、専用の操作スイッチまたはいずれかの操作設定スイッチを押して省エネモードを解除するようにすると、確実に操作設定が可能な通常の待機状態に復帰させることができる。しかし、その場合、スイッチのＯＮ操作が必要であるという意味では、少なくとも１回分の余分なスイッチ操作が必要であるし、専用の操作スイッチの場合、ユーザーによっては押し忘れが生じて、操作設定ができないとの誤解や製品トラブルの問題を生じやすい欠点がある。
【０００８】
そこで、このような問題を解決するために、例えばユーザーの存在を検出する人感センサを設けてユーザーの存在を検出できるようにし、少なくともユーザーが電気炊飯器のそばに居ない場合には、上記蓋体の操作部および表示部を自動的に省エネ状態に設定して、可及的に消費電力を低減する一方、ユーザーの存在を検出した場合には、それまでの省エネ状態を自動的に解除して、所望の操作および表示を可能にすることが検討されている。
【０００９】
ところが、そのような構成を採用した場合、人感センサがユーザーの存在を検出した場合には必ず省エネモードが解除されて、操作部の操作スイッチが操作可能となることから、実際には操作スイッチの操作が想定されない蓋の開閉操作時にもスイッチ操作が可能となり、蓋を開くときや閉める時にユーザーの指が操作スイッチに触ってスイッチがオンになる誤操作が生じる恐れがある。
【００１０】
特に最近ではタッチパネル式のスイッチ構造が普及してきており、そのようなスイッチ構造を採用した場合には、同問題が一層顕著となる。
【００１１】
この出願の発明は、このような問題を解決するためになされたもので、上記人感センサに加えて、さらに蓋体の開閉状態を検出する蓋開閉センサを設けることによって、上記省エネモードのコントロールを人感センサの検出結果だけでなく、蓋体の開閉との関係において行うことにより、上述のような誤操作を生じさせないようにした電気炊飯器を提供することを目的とするものである。
【課題を解決するための手段】
【００１２】
本願発明は、上記の目的を達成するために、次のような課題解決手段を備えて構成されている。
（１）請求項１の発明の課題解決手段
この発明の電気炊飯器は、内釜と、この内釜を取り出し可能に収納する炊飯器本体と、この炊飯器本体内にあって上記内釜を加熱する内釜加熱手段と、上記炊飯器本体の上部に開閉可能に設けられ、操作部、表示部を有する蓋体とからなる電気炊飯器であって、上記蓋体の操作部および表示部を省エネ状態に制御して消費電力を低減する省エネモードを有するとともに、上記炊飯器本体に対するユーザーの存在を検出する人感センサおよび上記蓋体の開閉を検出する蓋開閉センサを備え、それら両センサの検出結果に基づいて、上記省エネモードの制御を行うようにしたことを特徴としている。
【００１３】
人感センサを備え、炊飯器の動作状態の如何にかかわらず、ユーザーがいない場合には、蓋体の操作部および表示部を省エネ状態に設定して消費電力を低減するようにすると、待機状態、非待機状態、その他、炊飯器動作状態の如何にかかわらず、少なくともユーザーが電気炊飯器のそばに居ない場合には、蓋体の操作部および表示部を省エネモードに設定して可能な限り消費電力を低減することができる。
【００１４】
したがって、単に所定の時間以上何らの操作キーの操作もなされなかった待機状態にのみ省エネモードに移行させる省エネモード制御に比べて、遥かに省エネ性能が向上する。
【００１５】
しかし、そのような構成を採用した場合、人感センサがユーザーの存在を検出した場合には必ず省エネモードが解除されて、表示部の表示が開始され、操作部の操作スイッチの操作が可能となることから、実際には操作スイッチの操作が想定されない蓋体の開閉操作時にもスイッチ操作が可能で、蓋を開くときや閉める時にユーザーの指が操作スイッチに触って操作スイッチがオンになる誤操作が生じる恐れがある。
【００１６】
そこで、この発明では、上記のように人感センサとは別に、蓋体の開閉を検出する蓋開閉センサを設け、それら両センサにより適切に省エネモードのコントロールを行うようになっている。
【００１７】
したがって、たとえ人感センサがユーザーの存在を検出し、上記操作部および表示部の省エネモードを解除し、表示および操作を可能にしようとしたとしても、蓋開閉センサが蓋体が開かれたことを検出したような場合には、上記省エネモードを非解除状態に制御するか、または少なくとも操作部の操作および表示部の表示を行うことができないように制御して、後述するように、誤ったスイッチ操作による操作設定が生じないようにしている。
（２）請求項２の発明の課題解決手段
この発明の課題解決手段は、上記請求項１の発明の課題解決手段の構成において、蓋開閉センサが蓋体の開放を検出したときは、人感センサの検出結果よりも蓋開閉センサの検出結果を優先し、操作部および表示部を操作および表示が不可能な省エネモードに制御するように構成されていることを特徴としている。
【００１８】
上述のように人感センサを備え、炊飯器の動作状態の如何にかかわらず、少なくともユーザーがいない場合には、蓋体の操作部および表示部を省エネ状態に設定して消費電力を低減するようにすると、待機状態、非待機状態、その他、炊飯器動作状態の如何にかかわらず、少なくともユーザーが所定の対応エリア内に居ない場合には、蓋体の操作部および表示部を省エネ状態に設定して可能な限り消費電力を低減することができる。
【００１９】
しかし、そのような構成を採用した場合、人感センサがユーザーの存在を検出した場合には必ず省エネモードが解除されて、表示部の表示が開始され、操作部の操作スイッチの操作が可能となることから、実際には操作スイッチの操作が想定されない蓋体の開閉操作時にもスイッチ操作が可能となるので、蓋を開くときや閉める時にユーザーの指が操作スイッチに触って操作スイッチがオンになる誤操作が生じる恐れがある。特に最近ではタッチパネル式のスイッチ構造が普及してきており、そのようなスイッチ構造を採用した場合には、同問題が一層顕著となる。
【００２０】
そこで、この発明では、上記のように人感センサとは別に、蓋体が開かれたことを検出する蓋開閉センサを設けており、少なくとも蓋開閉センサが蓋体の開放を検出したときには、仮に人感センサがユーザーの存在を検出していたとしても、同人感センサの検出結果よりも蓋開閉センサの検出結果の方を優先し、操作部および表示部を表示および操作が不能な省エネモードに制御するように構成されている。
【００２１】
したがって、たとえ人感センサがユーザーの存在を検出し、上記操作部および表示部の省エネ状態を解除し、表示部の表示および操作部の操作を可能にしようとしたとしても、蓋開閉センサが蓋体の開かれたことを検出した場合には、それを優先して上記省エネモードを非解除状態に制御し、表示部の表示および操作部の操作を行うことができないようにして、誤ったスイッチ操作による操作設定が生じないようにしている。
（３）請求項３の発明の課題解決手段
この発明の課題解決手段は、上記請求項１または２の発明の課題解決手段の構成において、蓋開閉センサが遮光物移動型の傾斜センサよりなり、同傾斜センサが蓋体の開状態または閉状態を検出した場合、所定の時間をおいて、操作部および表示部を省エネモードまたは非省エネモードに制御するように構成されていることを特徴としている。
【００２２】
蓋開閉センサとして遮光物移動型の傾斜センサを採用した場合、蓋を開いた時または閉じた時に移動した遮光物が静止するまでに所定の時間がかかる。したがって、蓋体開閉時のセンサ出力をそのまま読み込むと誤作動、誤制御の原因となる。
【００２３】
そこで、傾斜センサが蓋体の開状態または閉状態を検出したとしても、所定の時間をおいて、操作部および表示部を省エネモードまたは非省エネモードに制御するようにし、誤作動、誤制御を防止する。
（４）請求項３の発明の課題解決手段
この発明の電気炊飯器は、上記請求項１又は２の発明の課題解決手段の構成において、電源回路に電源を通電した直後の所定の時間内は、操作部および表示部を操作および表示可能な非省エネモードに制御するようにしたことを特徴としている。
【００２４】
電源コンセントに電源プラグを挿入したときなど、当該電気炊飯器の電源回路に電源を通電した時は、少なくともユーザーが炊飯器本体のそばに居り、炊飯器を使用しようとしているときであるから、その後所定の時間内は、操作部および表示部を操作および表示可能な非省エネモードに制御し、操作設定を可能とする。
【発明の効果】
【００２５】
以上の結果、この出願の発明によると、人感センサによりユーザーの存在を検出できることから、ユーザーが居なくなると自動的に省エネモードに移行して、省エネ機能を実現することができるので、従来に比べて省エネ性能が大きく向上する。また、逆に省エネモードの解除が必要になると、何らのスイッチ操作等を要することなく、ユーザーが電気炊飯器に近づくだけで、自動的に省エネ状態が解除されて、表示および操作設定が可能となるので非常に便利である。
【００２６】
しかも、この出願の発明の場合、同人感センサとは別に、蓋体の開閉状態を検出する蓋開閉センサが設けられており、実質的に操作および表示の必要がない蓋体が開かれたような時には、仮に人感センサがユーザーの存在を検出していても、操作および表示を行わせないようにすることができるので、不要な操作および表示を回避し、誤操作を防止することができる。
【図面の簡単な説明】
【００２７】
【図１】省エネモード設定状態（操作パネル部分の操作、表示、照明等が不可能な状態）における、この出願の発明の実施の形態に係る電気炊飯器の炊飯器本体上面部の構成を示す平面図である。
【図２】省エネモード解除状態（操作パネルの操作、表示、照明等が可能な状態）における、この出願の発明の実施の形態に係る電気炊飯器の炊飯器本体上面部の構成を示す平面図である。
【図３】この出願の発明の実施の形態に係る電気炊飯器の炊飯器本体の内部の構成を示す図１のＡ−Ａ線切断部での断面図である。
【図４】この出願の発明の実施の形態に係る電気炊飯器の炊飯器本体の内部の構成を示す図３の左半分部分（蓋体を除いた前部部分）の拡大断面図である。
【図５】この出願の発明の実施の形態に係る電気炊飯器の炊飯器本体の蓋体部分における人感センサ（赤外線センサ）の設置状態を示す図１のＢ−Ｂ線切断部での断面図である。
【図６】この出願の発明の実施の形態に係る電気炊飯器の炊飯器本体の上記蓋体部分における人感センサ（赤外線センサ）の設置状態の特徴を示す原理的な構成の説明用断面図である。
【図７】この出願の発明の実施の形態に係る電気炊飯器の炊飯器本体の炊飯器本体肩部における肩部材、肩ヒータ枠、肩ヒータカバー、シール用摺動パッキン、金属プレート各部分の構成を示す上下分解斜視図である。
【図８】この出願の発明の実施の形態に係る電気炊飯器の炊飯器本体の外釜、第２の保護枠ユニット（上）、第１の保護枠ユニット（下）、磁気遮蔽板、第１、第２のワークコイル、フェライトコア、コイル台各部分の構成を示す上下分解斜視図である。
【図９】この出願の発明の実施の形態に係る電気炊飯器の炊飯器本体の人感センサ部分の構成を示すブロック図である。
【図１０】この出願の発明の実施の形態に係る電気炊飯器の炊飯器本体の傾斜センサの外観的な構成と炊飯器本体内マイコン基板（電池基板部分）への設置状態を示す斜視図である。
【図１１】この出願の発明の実施の形態に係る電気炊飯器の炊飯器本体の傾斜センサの内部的な構成を示す回路図である。
【図１２】この出願の発明の実施の形態に係る電気炊飯器の炊飯器本体の人感センサおよび傾斜センサとマイコン制御ユニットの制御機能との関係を示すブロック図である。
【図１３】この出願の発明の実施の形態に係る電気炊飯器の赤外線センサおよび傾斜センサを利用した省エネモード制御の内容および特徴を示すフローチャートである。
【発明を実施するための形態】
【００２８】
以下、添付の図１〜図１３の図面を参照して、この出願の発明を実施するための実施の形態について詳細に説明する。
（実施の形態に係る電気炊飯器本体部部分の構成））
まず図１〜図１２には、この出願の発明の実施の形態に係る電気炊飯器の炊飯器本体部分およびその要部の構成が示されている。
この出願の発明の実施の形態にかかる電気炊飯器は、その構成上の特徴として、操作パネルの操作スイッチ部分がタッチパネルによって構成されているとともに、同操作スイッチ部分を下方からLEDによって照明することにより表示するようになっており、またユーザーの存在を検出する人検知センサおよび省エネモードを有し、待機状態、非待機状態、その他、炊飯器動作状態の如何にかかわらず、少なくともユーザーが操作対応位置等所定の対応エリア内にいない場合には、省エネモードに制御して、液晶パネルの表示機能や照明機能に加えて、上記操作スイッチの操作機能や照明機能をそれぞれOFFにすることによって、可能な限り消費電力を低減するように構成されている。
【００２９】
そして、その場合において、さらに蓋開閉時における操作スイッチ部分の誤操作を回避し得るようにしている。
＜電気炊飯器本体部分の構成について＞
この出願の発明の実施の形態にかかる電気炊飯器における炊飯器本体は、たとえば図１〜図４および図７、図８に示すように、米および水を収容するセラミック材からなる有底筒状の内釜３（たとえば土鍋等のセラミック製の内釜）と、該内釜３の底部３ａから側部３ｃ部分までを覆う同じくセラミック材からなる有底筒状の外釜６と、底部側に同外釜６を設けるとともに、同外釜６を介して上記内釜３を任意に収納セットする内釜収納溝５を形成している保護枠（内ケース）４と、該保護枠４を収容保持する保護枠収容空間を備えた本体ケース１と、該本体ケース１の上記内釜収納溝５の開口部５ａ後端側に設けられ、同開口部５ａを開閉する蓋体２とから構成されている。
【００３０】
上記本体ケース１は、合成樹脂製の側部側筒状の外ケース１ａと同じく合成樹脂製の底部側皿状の底ケース１ｂとからなり、上記外ケース１ａの上端部の内側に後述する合成樹脂製の肩部材８が設けられ、該肩部材８を介して上記内釜収納溝５を形成する保護枠４を連結支持している。肩部材８の外周側断面逆Ｕ字状の縁部８４は、上記外ケース１ａ上端側の断面鉤状の係合縁部１０に冠合する形で周方向の全体に亘って係合されている。
【００３１】
保護枠４は、それぞれ合成樹脂成型された相互に別体の第１の保護枠ユニット（下部ユニット）４Ａと第２の保護枠ユニット（上部ユニット）４Ｂとの上下２つの筐体部材からなり、下部側の筐体を構成する第１の保護枠ユニット４Ａの上部に上部側の筐体を構成する第２の保護枠ユニット４Ｂを積層して一体に構成されている。
【００３２】
まず、下部側の筐体を構成する第１の保護枠ユニット４Ａは、所定の半径のフラットな円形面よりなる底部４１ａと、該底部４１ａの外周から次第に径を拡大させながら所定の高さ上方に延びる彎曲部４１ｂと、該彎曲部４１ｂの上縁部に半径方向外方に所定寸法拡大して形成された断面鉤状の段部４１ｃと、該段部４１ｃの外周部から略垂直に立ち上がり、所定の高さの筒状壁を形成した支持壁部４１ｄとからなっている。そして、この第１の保護枠ユニット４Ａ部分は、その底部４１ａおよび彎曲部４１ｂ部分を、後述する下方側コイル台９によって支持されている。
【００３３】
次に、上部側の筐体を構成する第２の保護枠ユニット４Ｂは、半径方向外方に開放した断面コの字型をした所定上下幅の筒状壁４２ｂを中心とし、その下端側に上記第１の保護枠ユニット４Ａの支持壁４１ｄ上への載置部４２ａが、また、その上端側に所定寸法半径方向外方に拡大された鉤状の係合段部４２ｄが設けられている。該第２の保護枠ユニット４２Ｂの上記筒状壁４２ｂ外周面のリブ４２ｃで仕切られた上部部分（略上部１／２部分）は、後述する第３のワークコイルＣ３の設置面（巻成面）に形成されており、該ワークコイル設置面に内外２層状態に巻成された第３のワークコイルＣ３が設置されている。
【００３４】
なお、この第３のワークコイルＣ３の設置面を上記筒状壁４２ｂの上下幅全体ではなく、例えば上部１／２部分としたのは、それにより少しでも上記下部側第１の保護枠ユニット４Ａ側の第２のワークコイルＣ２との距離を拡大して、相互の誘導干渉を回避するためである。
【００３５】
そして、上記第１、第２の保護枠ユニット４Ａ，４Ｂを図３、図４のように上下に積層一体化することによって、全体として有底の筒状体構造に形成された保護枠４の底部上面側（第１の保護枠ユニット４Ａの底部４１ａおよび彎曲部４１ｂの上面側）には、さらに上記セラミック材よりなる外釜６の底部６ａおよび彎曲部６ｂが半径方向に部分的に配設された所定の厚さの接着剤部分（図示省略）を介して、かつ接着剤の無い部分に所定の断熱空気層を保った状態で貼設されており、このセラミック製の外釜６の上部に、たとえば図４に示すように、円形のフラットな底部３ａ、アール面上の彎曲部３ｂの各々に銀ペースト又は銀溶射よりなる第１、第２の誘導発熱体Ｇ１，Ｇ２を設けたセラミック製の内釜３の同円形の底部３ａおよびその外周のアール面上の彎曲部３ｂが所定の隙間Ｓを保った状態で収納されるようになっている。
【００３６】
そして、それにより同収納状態においては、たとえば図３、図４に示すように、該内釜３の側部３ｃの上部部分まで、その側部６ｃの上端が長く延設された上記セラミック製の外釜６により、当該内釜３の底部３ａから側部３ｃ付近までが十分に覆われるようになっている。
【００３７】
ところで、この実施の形態の外釜６は、全体として椀形の構造をなし、そのフラットな円形の底部６ａ中央には上記第１の保護枠ユニット４Ａ中央のセンターセンサ嵌装穴１０ａに対応するセンターセンサのセンサ部嵌挿穴６ｅが設けられており、上記センターセンサ嵌装穴１０ａに嵌装されたセンターセンサＣＳ上部のセンサ部が昇降可能に遊嵌状態で嵌挿されているとともに、その半径方向外周側には周方向に所定の間隔を置いて、内釜３の高台部３ｅを支持するシリコンゴム等の耐熱性弾性部材よりなる高台部支持部材６１，６１・・を嵌装する高台部支持部材嵌装孔６ｆ，６ｆ・・が設けられている。また、それよりも外周側上部の彎曲部６ｂの外周寄り部分にも周方向に所定の間隔を置いて、内釜３の彎曲部３ｂの外周を支持する同じくシリコンゴム等の耐熱性弾性部材よりなるセンタリング支持部材６２，６２・・を嵌装するセンタリング支持部材嵌装孔６ｇ，６ｇ・・が設けられている。
【００３８】
そして、それらの各嵌装孔６ｆ，６ｆ・・、６ｇ，６ｇ・・内にシリコンゴム等の耐熱性が高く、所定の弾性がある高台部支持部材６１，６１・・、センタリング支持部材６２，６２・・がそれぞれ嵌装固定され、上記内釜３の底部３ａおよび彎曲部３ｂが支持されるが、上記高台部支持部材６１，６１・・部分は、上記下部側第１の保護枠ユニット４Ａのポケット部Ｐ，Ｐ・・との間で安定した固定状態に支持され、その上部に内釜３の底部３ａ外周の高台部３ｅ部分が上方から下方に当接する状態で載せられ、後述するように、フローティング支持機構を介して昇降可能に弾性支持されている保護枠４および外釜６が内釜３の重量に応じて下降すると、当該内釜３の開口部３ｄの外周側フランジ部Ｆが後述する肩部材８の内縁８２部分上に耐熱支持部材を介して係合され、内釜３が周方向の全体に亘って均一に吊設されるようになり、上記保護枠４側第１、第２のワークコイルＣ１、Ｃ２と第１、第２の誘導発熱部Ｇ１、Ｇ２が適正な位置関係で、かつ適正な誘導ギャップを介して対向するようになるとともに、上記外釜６との間に適切な所定の隙間（蓄熱・対流空間）Ｓを保った状態で支持される。
【００３９】
また、同時に、上記第３のワークコイルＣ３によって誘導発熱される外釜６の側部６ｃ内周面の第３の誘導発熱部Ｇ３と内釜３の側部６ｃ部分との対向位置および対応距離も適正な設計位置および設計距離に維持される。
【００４０】
一方、上記彎曲部外周側のセンタリング支持部材６２，６２・・は、そのように収納後に外釜６を介して内釜３を保護枠４内に適切な位置関係で支持するだけでなく、収納時において収納される内釜３の彎曲部３ｂの外周を正確な位置関係で収納されるように全周においてガイドし、適正にセンタリングする機能を果たすようになっている。
【００４１】
また、上記高台部支持部材６１，６１・・、センタリング支持部材６２，６２・・の外釜６の内方側への突出寸法は、上記のように内釜３が保護枠４内に適正な位置関係で収納セットされた図３、図４の状態において、内釜３の外周面と外釜６の内周面との間に適切な隙間Ｓを形成する寸法に設定されている。
【００４２】
これらの結果、上記図３、図４に示す内釜３の収納状態では、内釜３の底部３ａおよび彎曲部３ｂは、第１、第２の誘導発熱部Ｇ１、Ｇ２の発熱により加熱されて局部的に高温になり、やがて同高温の熱が同底部３ａおよび彎曲部３ｂ側から上方の側部３ｃ側に壁内部を通して徐々に伝導されてゆき、誘導発熱部が設けられていない側部３ｃ側の温度も次第に上昇する。
【００４３】
そして、以上の構成では、それに加えて、内釜３が収納される保護枠４の内側に同じくセラミック製の外釜６が設けられており、第１、第２の誘導発熱部Ｇ１、Ｇ２を有する内釜３の外周が該セラミック製の外釜６によって覆われることになり、内釜３の底部３ａ、彎曲部３ｂの誘導発熱部Ｇ１、Ｇ２および同誘導発熱部Ｇ１、Ｇ２付近から外方に放射される熱は同セラミック製の外釜６により遮断され、同内釜３底部３ａの誘導発熱部Ｇ１、彎曲部３ｂの誘導発熱部Ｇ２、およびそれら付近から外方に放射された放射熱が内釜３の外周を大きく包み込む形で内釜３自体を加熱し、同熱が上記外釜６と内釜３相互の対向面部およびそれらの間の隙間Ｓ部分に蓄熱されるとともに、同蓄熱状態において加温された高温の空気が対流により上記隙間Ｓを通して上記内釜３の底部３ａ、彎曲部３ｂの外周面側から側部３ｃの外周面側に上昇し、内釜３外周面の全体を加熱、加温するようになる。
【００４４】
これらの結果、上記内釜３は、その底部３ａ、彎曲部３ｂ側から側部３ｃの全体に亘って比較的速やかに高温になり、その熱量を有効に蓄える。したがって、第１、第２の誘導発熱部Ｇ１、Ｇ２における発熱量を有効に利用することができるようになる。
【００４５】
さらに、この実施の形態の構成の場合、その場合において、上記外釜６の側部内周面に第３の誘導発熱部Ｇ３が設けられているとともに、該第３の誘導発熱部Ｇ３に対応する上記保護枠４の側壁部外周に該第３の誘導発熱部Ｇ３を誘導発熱させる電磁誘導手段である第３のワークコイルＣ３が設けられており、上記外釜６の側部６ｃ自体を、その内周面側から加熱するようになっている。
【００４６】
したがって、上記セラミック製の外釜６は、単に上記内釜３の底部３ａ側外周を覆って熱を逃がさないようにするだけでなく、それ自体が加熱されて高温になり、同高温状態の外釜６からの放射熱が僅かな隙間Ｓを置いた至近距離で内側の内釜３を積極的に加熱するようになり、内釜３は底部側だけでなく、従来加熱不足であった側部３ｃを含む全体が効果的に加熱、昇温されるようになる。この場合、第３のワークコイルＣ３と第３の誘導発熱部Ｇ３の距離が近いことから、第３のワークコイルＣ３による第３の誘導発熱部の誘導効率も高く、ノイズも発生しにくい。
【００４７】
しかも、同内釜３の側部３ｃ部分の加熱は、例えば内釜３の側部３ｃ部分に直接誘導発熱部を設けて加熱する場合と異なり、至近距離ではあるが、外釜６側から所定の隙間（熱拡散空間）Ｓを介した間接加熱となり、また外釜６の側部６ｃ全体からの放射熱によって内釜３が加熱されるので、加熱状態が均一となり、内釜３の側部３ｃ等に直接誘導発熱部を設けて加熱する場合のような局部加熱による焦げ付きを発生させる恐れもなくなる。
【００４８】
しかも、この実施の形態の場合、上記外釜６の側部６ｃは内釜３の側部３ｃの上部付近まで高く延設され、該高く延設された側部６ｃの内周面に位置して第３の誘導発熱部Ｇ３が設けられ、該第３の誘導発熱部Ｇ３に対応する保護枠４の側壁部外周に該第３の誘導発熱部Ｇ３を誘導発熱させる第３のワークコイルＣ３が設けられている。
【００４９】
したがって、セラミック製の外釜６は、その内釜３の側部３ｃ上部に対応する位置まで延設された側部６ｃの内周面が効率良く加熱されて高温になり、同高温部が従来加熱不足であった内釜３の側部３ｃ上部部分をも効果的に加熱するようになり、内釜３はその側部３ｃおよびその上部部分を含む全体が効果的に加熱、昇温されるようになり、内釜３内のご飯上部の空間部が竈の場合と同様の高温状態（１２０℃近く）に維持されるようになる。
【００５０】
この場合、上記第３の誘導発熱部Ｇ３が設けられる上記外釜６の側部６ｃが延設される内釜３の側部３ｃの上部位置は、たとえば当該電気炊飯器の定格炊飯容量から決まる炊き上げ完了後のご飯の上部位置付近（吸水時における水の位置よりも上方位置）に対応するものとされる。そのようにした場合、当該電気炊飯器の定格炊飯容量から決まる炊き上げ完了後のご飯およびその上部空間位置に、竈の場合と同様の適切で十分な量の熱を適切に作用させることが可能となり、焦げ付きを生じさせることなく、炊きむらをなくして、より美味しいご飯を炊き上げることが可能となる。
＜保護枠のフローティング支持構造について＞
上記のように、この実施の形態における保護枠４は、第１、第２の保護枠ユニット４Ａ、４Ｂを上下に一体化して構成されているが、上記第１の保護枠ユニット４ａは、例えばコイルスプリングを備えたフローティング支持機構を介して、上述の底ケース１ｂ上にフローティング支持されており、所定の上下寸法範囲で昇降可能となっている。
【００５１】
他方、上記第２の保護枠ユニット４Ｂも、同第１の保護枠ユニット４Ａの上部に載った図２、図３の状態で同様に昇降する。これらの結果、上記第１、第２の保護枠ユニット４Ａ、４Ｂよりなる有底筒状の保護枠４内に収納設置された椀形状の外釜６も上記第１、第２の保護枠ユニット４Ａ、４Ｂとともに同様に昇降する（図３中の矢印参照）。
【００５２】
したがって、該外釜６の上に高台部支持部材６１，６１・・、センタリング支持部材６２，６２・・を介して水および米の入った内釜３が収納されると、同内釜３の重量に応じて、上記保護枠４および外釜６が内釜３とともに所定寸法下降し、内釜3の開口部３ｄ外端のフランジ部Ｆの下面が、内釜収納溝5の開口部５ａを形成している肩部材８の内周縁部８２上の耐熱支持部材部分に当接し、同部分に吊設された状態で支持される。
【００５３】
この結果、この実施の形態の場合、底部側に第１、第２の誘導発熱部Ｇ１、Ｇ２を備えた上記内釜３は、第１、第２のワークコイルＣ1、Ｃ２を備えた第１の保護枠ユニット４Ａの第１、第２のワークコイルＣ1、Ｃ２、第３のワークコイルＣ３を備えた第２の保護枠ユニット４Ｂの第３のワークコイルＣ３、第３の誘導発熱部Ｇ３を備えた外釜６の第３の誘導発熱部Ｇ３に対して、それぞれ適切な位置、および寸法関係でセットされることになる。
【００５４】
この時、上記高台部支持部材６１，６１・・やセンタリング支持部材６２，６２・・が外釜６と内釜３との間の適正な隙間Ｓを設定すること、またセンタリング支持部材６２，６２・・が収納時の内釜３のセンタリング機能を果たすことなどは、すでに述べたとおりである。
＜昇降用隙間のシール構造について＞
ところで、上記のように保護枠４および外釜6を炊飯器本体に対してフローティング構造とし、肩部材８と外釜６の側部６ｃの上端６ｄとの間に昇降空間Ｄを形成すると、同昇降空間Ｄから内釜３と外釜６との間の熱が外部に逃げるし、また内釜３の外周についた水などが侵入する恐れもあり、さらには内釜収納溝５の見栄えが悪くなる等の問題がある。
【００５５】
そこで、この実施の形態では、同昇降空間Ｄ上部側の、上述した肩部材８に対する肩ヒータ枠３１、肩ヒータカバー３０連結補強用の金属プレート３２、３２の内周縁側に、それらを組み付けた後において、たとえば図３に示すように、下方側外釜６の側部６ｃ上端６ｄの内周面側（開口部内周面側）に所定寸法延設されて、当該肩部材８と外釜６の側部６ｃ上端６ｄとの間の昇降空間Ｄを周方向の全体に亘って内外方向にシールするスカート状の摺動パッキン３５が取り付けられており、保護枠４および外釜６の上方側に、肩部材８、肩ヒータ枠３１、肩ヒータカバー３１、摺動パッキン３５、金属プレート３２、３２が相互に重合されて連結一体化された時に、同摺動パッキン３５のスカート部（シール用の縁部）３５ｂが外釜６の側部６ｃの上端６ｄの内周面に摺動可能に内接するようになっている。
【００５６】
このパッキン３５は、上記スカート部３５ｂの上部側に金属プレート３２、３２と肩ヒータカバー３０との間に挟まれて固定される固定部３５ａが設けられており、この固定部３５ａを利用して図３のように取り付けられる。
いる。
＜肩部における肩ヒータの設置について＞
以上のように、この実施の形態の炊飯器本体における内釜収納溝５の開口部５ａは、本体外ケース１ａの上端部１ｃの内周縁側に嵌合固定される肩部材８と、この肩部材8の内周部内側に、下方側から金属プレート３２、３２、パッキン３５を介して連結固定される肩ヒータカバー３０および肩ヒータ枠３１とからなっているが、そのうちの肩ヒータ枠３１は、半径方向外側に開放した断面コの字形の構造をしており、その外周面には例えばコードヒータよりなる肩ヒータＨが全周に亘って設けられている。そして、同肩ヒータＨが発熱すると、たとえば図３に示すように、内釜収納溝５内への収納状態において隣接対応する内釜３の開口部３ｄにおける半径方向内方に厚肉のヒートキープ部ＨＫの下部部分を効率良く加熱し、同部分における露の発生を防止して、ご飯の白ボケ等の発生を防止する。
＜コイル台の構成について＞
他方、上記のように構成された保護枠４の下方側（第１の保護枠ユニット４Ａの下方側）には、同保護枠４の底部を支持する合成樹脂製の皿状のコイル台９が設けられている。このコイル台９には、たとえば図７に示されるように、その周方向４方の上面側に位置して、上記第1の保護枠ユニット４Ａ外周面側の第１、第２のワークコイルＣ１、Ｃ２に対応して半径方向に延びるフェライトコア収納溝９ａ，９ａ・・が設けられ、このフェライトコア収納溝９ａ，９ａ・・内に同第1の保護枠ユニット４Ａ側の第1、第2のワークコイルＣ１、Ｃ２用の4本のフェライトコア７０，７０・・が収納されている。そして、同フェライトコア７０，７０・・を収納したフェライトコア収納溝９ａ，９ａ・・の上面によって、第１，第２のワークコイルＣ１，Ｃ２が４方で支持されている。そして、その上で、上記第１の保護枠ユニット４Ａとコイル台９は、外周側の連結部を利用して相互に連結固定される。
【００５７】
また、このコイル台９の下部外周側には、上記フェライトコア収納溝９ａ，９ａ・・位置に対応して、4本の脚部９ｂ，９ｂ・・が下方に向けて設けられており、同脚部９ｂ，９ｂ・・部分が上記底ケース１ｂ上に設けられているフローティング支持機構６３、６３・・により支持されるようになっている。また、同コイル台９の中央部には、上記第1の保護枠ユニット４Ａ側のセンターセンサ嵌装穴１０ａと同心状に貫通したセンタ−センサ本体嵌装口９ｃが設けられており、該センタ−センサ本体嵌装口９ｃを介して上下方向に昇降自在な状態で、かつ常時コイルスプリングにより上方に上昇付勢された状態でサーミスタ等の内鍋温度検知センサよりなるセンターセンサＣＳが下方から上方に向けて嵌装設置されている。
＜蓋体の構成について＞
一方、上記炊飯器本体の内釜収納溝５の開口部５ａを覆う蓋体２は、たとえば図１、図２、図３、図５に示すように、その上部側外周面を構成する銘板２０と、上面側前部に銘板２０の支持面部およびマイコン基板等設置用凹部２１ａを有し、周壁部２１ｂを含めて蓋体２の中心的な筐体部を構成している合成樹脂製の上板２１と、該上板２１の内側（下側）に設けられた同じく合成樹脂製の下板２２と、該下板２２の本体部２２ａの中央部外周側下面の凹部２２ｂ部分にゴム製の第１のパッキン２５を介して下方側から嵌合固定されている蓋ヒータ（図示省略）を有する金属製の放熱板２３と、該放熱板２３の下方に設けられ、その外周縁部分に合成樹脂製の着脱可能な枠部材２７を介してゴム製の第２のパッキン１４が取り付けられた金属製の内カバー２４とから形成されている。
【００５８】
内カバー２４の外周側パッキン１４部分は、上記のように、下板２２の中央部外周側に設けられた内カバー嵌合用凹部２２ｂ部分に下方側から着脱可能に嵌合して取り付けられている。また、下板２２の外周側縁部２２ｃ部分は、上記上板２１の所定上下幅の周壁２１ｃ部分の下端側内周面部分に係合されている。
【００５９】
ところで、耐圧力強度を高めるために、上記中心となる下板２２の本体部分２２ａの後端部外周側部分を連結片、ネジ等を介してヒンジユニット１１側の連結片に係止しているとともに、同下板２２の本体部２２ａの上面には、所定の板厚、所定の構造の金属製の補強板および多数の補強リブを左右および前後に亘って設けることにより、当該蓋体２の全体を高強度の構造体に形成するようにしている。
【００６０】
すなわち、上記下板２２は、その本体部２２ａ後端側外周の中間部分が上方に向けてコ字状に曲成され、内側に前述したヒンジユニット１１を収納しているとともに、その外周端側下降部は同ヒンジユニット１１をカバーしている。
【００６１】
そして、これら下板２２の本体部２２ａの後端側外周を取り付け用のブラケットとして、上記蓋体２は、その後端側を、上記炊飯器本体上部の肩部材８に対してヒンジユニット１１を介して回動自在に取付けられ、その開放端側（前端側）には、上記蓋体２の所定位置に係合して該蓋体２の上下方向への開閉を行うロックおよびロック解除機構１３が設けられている。
【００６２】
さらに、上記上板２１の上記銘板支持面部を形成している上面部外周２１ｂは、たとえば図５に示すように、上部から下方側に次第に外径を拡大した彎曲面となっており、その下端側は、上述した周壁部２１ｃの上端側に、銘板嵌合溝（Ｕ状溝）を介して連結一体化されている。そして、図１および図２のような操作パネル６０面および液晶パネル６０Ａに対応した透明窓６０ｃ部分を形成している銘板２０は、それら上板２１各部の支持面形状に対応した形状に成形されており、たとえば図５に示すように、上記上板２１外周の銘板嵌合溝を利用して略面一状態に冠合一体化されている。そして、同銘板２０の上面には、さらに防水用の合成樹脂製の透明シート８０が貼設されている。
【００６３】
なお、この銘板２０は、後に述べるように、後端側蒸気ユニット５１部分から前端側方向にかけて、次第に高さが低くなる下降傾斜状態にして設けられており、銘板の支持面部を構成している上板２１の支持面構造も、それに対応した前端側への下降傾斜面構造となっている。
＜蓋体部分における圧力調節機構の構成について＞
この実施の形態では、一例として圧力型電気炊飯器に適用した場合について示しており、上記蓋体２の略中央部には、お粘成分を回収しながら蒸気のみを外部に逃がすとともに炊飯工程に応じて上記内釜３内の圧力を複数の段階に調節する調圧ユニット２６Ａが設けられている。
【００６４】
この調圧ユニット２６Ａは、たとえば上記内釜３内から外部に向けて迂回する蒸気逃し通路５０，５０ａ〜５０ｃと同蒸気逃し通路５０，５０ａ〜５０ｃに設けた圧力調整機構により構成される（この調圧ユニット２６Ａは実際には複数組設けられるが、この実施の形態の場合には必須の構成ではないので、その詳細については説明を省略する）。
＜蓋体上面の操作パネルおよび表示パネル部分の構成について＞
図１中の符号６０が操作パネルであり、この操作パネル６０は、そのパネル部裏側に所定の深さの基板および液晶パネル収納ボックスを備えてなり、炊飯および保温制御手段としてのマイコンを備えたマイコン基板６０Ｂおよび液晶パネル６０Ａが上記上板２１の開口部および上板２１の凹溝部内に嵌合して収納されている。
【００６５】
そして、その中央部には液晶パネル６０Ａの表示面に対応する透明窓６０Ｃを有するとともに、同透明窓６０Ｃの周囲に、タイマー炊飯用の炊飯予約スイッチＳＷ１、炊飯スイッチＳＷ２、保温スイッチＳＷ８、取消スイッチＳＷ３、炊飯メニュー（例えば白米、早炊き、おこわ、おかゆ、玄米その他のコースメニュー）を選択するメニュースイッチＳＷ５（もどる），ＳＷ６（すすむ）、火かげん選択スイッチＳＷ４、音声ガイドＳＷ７、時計及びタイマーの時刻時・分設定スイッチＳＷ９の各種操作キーが設けられている。
【００６６】
これらタイマー炊飯用の炊飯予約スイッチＳＷ１、炊飯スイッチＳＷ２、保温スイッチＳＷ８、取消スイッチＳＷ３、メニュースイッチＳＷ５（もどる），ＳＷ６（すすむ）、火かげん選択スイッチＳＷ４、音声ガイドＳＷ７、時計及びタイマーの時刻時・分設定スイッチＳＷ９の各種操作キーは、タッチパネル構造の操作キー（操作スイッチ）となっており、それら各々の下方には、図示はしないが、必要に応じて当該操作キーを図2のように明確に表示するための表示用LEDが設けられている（図1は省エネモード）。
【００６７】
この実施の形態の場合、以下に述べるように、上記マイコン基板６０Bには、操作対応位置等所定の対応エリア内にユーザーが居ることを検出する例えば赤外線センサよりなる人感センサ９０が設けられており、待機状態、非待機状態、その他、炊飯器動作状態の如何にかかわらず、少なくともユーザーが操作対応位置等所定の対応エリア内にいない場合には、省エネモードに制御して、液晶パネルの表示機能や照明機能に加えて、上記操作スイッチの操作機能や照明機能をそれぞれOFFにすることによって、可能な限り消費電力を低減するように構成されている。この結果、同省エネ状態では、例えば図１のように、当該電気炊飯器本体の蓋体２の上面は「スモーク状態」となり、次に述べる人感センサ９０の受光用凹面部８０a部分を除いて何も見えない状態となる。
【００６８】
もちろん、この場合において、例えば「炊飯中」、「保温中」などの必要な表示を行うことは自由である。
＜蓋体部分における人感センサの構成とその設置構造について＞
この実施の形態の場合、例えば図１、図２および図５、図６に示すように、蓋体２の前部部分に上記赤外線センサよりなる人感センサＭＳが設けられている。この人感センサＭＳは、例えば図９に示すような電気的な構成を有し、操作設定又は操作設定状態の確認、炊飯状態や保温状態、時計表示の確認などで、ユーザーが当該電気炊飯器本体の正面位置に所定距離以上接近してきたことを検出する人検知センサとして機能するように構成されている。
【００６９】
すなわち、該人感センサＭＳは、受光部９０ａおよび受光回路部（センサ本体）９０ｂよりなり、受光部９０ａの受光レンズ（フレネルレンズ）９１を通して入射する赤外線を赤外線フィルタ９２を通すことによってセレクトし、受光回路部９０ｂ中の赤外線焦電素子９３に集め、該赤外線焦電素子９３から出力される電圧信号をアンプ回路（出力電圧増幅回路）９６を介して所定の電圧レベルに増幅した上でコンパレータ回路９７に入力する。
【００７０】
上記焦電素子９３は、たとえば一対の焦電素子９３a、９３aよりなり、それらを並設して構成されており、これら一対の焦電素子９３a、９３aにより、それぞれ入射する赤外光の光源までの距離を検知し、各々の検知距離の差の変化によりユーザーの動きを検知して、ユーザーがいるか居ないかを判定するようになっている。そして、焦電素子９３からは、それら検知距離の差の変化に応じた電圧レベルの信号が出力される。
【００７１】
コンパレータ回路９７には、たとえば当該電気炊飯器本体上部の操作パネル部６０に対向して、ユーザーが操作を行う場合の正面側位置および透明窓６０ｃを介して液晶パネル６０Ａの表示を確認する正面側位置（それらの立ち位置におけるユーザー（光源）と受光部９０a（焦電素子）との距離））に応じて、当該ユーザー（光源）から各焦電素子９３a、９３aに入射される赤外線量に応じた電圧値の差に応じた電圧が比較用の基準電圧として設定されている。したがって、同コンパレータ回路９７に入力される上記アンプ回路９６からの出力電圧が、そのような基準電圧以上になったとすると、コンパレータ回路９７からは当該ユーザーの存在を検知した人検知信号（Ｈ信号）が出力される。
【００７２】
このコンパレータ９７からの人検知信号（HまたはLのVout信号）は、たとえば図１２に示すように、マイコン基板６０B側のマイコン制御ユニット１００に入力されて、ユーザーが操作設定、操作設定状態の確認、炊飯状態や保温状態、時計表示の確認、その他何らかの理由で当該電気炊飯器本体の正面位置に居るか、居ないかが判定される。
【００７３】
そして、ユーザーが同位置に居ることが判定されると、当該マイコン制御ユニット１００は、操作基板回路への電源の供給状態を制御する操作基板回路制御手段１１１、操作スイッチ照明用のLED駆動手段１１４を作動させて、非通電状態（省エネモード）にあった操作パネル部６０の操作基板回路に電源を供給し、各種操作スイッチＳＷ１〜ＳＷ９の操作による炊飯又は保温機能の操作設定、取り消し、変更等の操作機能、それら各操作スイッチＳＷ１〜ＳＷ９の照明による表示を可能とし、また液晶パネル駆動制御手段１１２を作動させて、ユーザーが居ないときには消灯状態にあった液晶パネル６０Ａのバックライトを点灯させるとともに、ユーザーが居ないときには非表示状態にあった液晶パネル６０Ａの情報を表示する。この結果、それまでは図１のようなスモーク状態にあった蓋体２の上面の操作パネル６０部分が図２のように明確に表示された状態となる。ユーザーが居ないと判定された場合には、これと逆の制御になる。
【００７４】
これにより、ユーザーは、透明窓６０ｃを通して、明るく点灯、表示された液晶パネル６０Ａの表示情報を見ながら、操作パネル６０の各操作スイッチＳＷ１〜ＳＷ９を操作して適切な炊飯または保温機能の操作設定、取り消し、変更が可能となる。また、タイマー予約時の炊飯待機状態における操作設定状態の確認、炊飯中における炊飯状態や保温中における保温状態、時計表示等の確認も可能となる。なお、図１２中の符号１１５は、ワークコイル等の加熱出力制御手段である。
【００７５】
しかも、それらの各々が、単にユーザーが電気炊飯器本体に近づくだけで自動的に実現され、操作キーのＯＮ操作等何らのマニュアル操作を必要としないので、非常に便利である。
【００７６】
また、このような構成の場合、従来のような単なる待機状態のみに限られず、要するにユーザーが電気炊飯器のそばにおらず、操作も表示も必要がない場合には、時計表示も含めて殆どの電力消費部分への電源の供給をセーブまたは停止することが可能となるので、非常に省エネ効果の高いものとなる。
【００７７】
なお、図９の受光回路部９０ｂの構成中、符号９５は回路駆動用の安定化電源回路であり、符号９４は各種電子デバイスを組み込んだワンチップＩＣを示している。
【００７８】
ところで、この場合、上記コンパレータ回路９７の基準電圧は、上述のように人感センサＭＳ自体の検出感度に応じて、上記ユーザーが当該電気炊飯器本体に近づき、その上面部の操作パネル６０面に対向し、かつ適切に操作を行い得る通常の操作位置を基準として、当該ユーザーの人体から放射される赤外線の量に対応したものに設定されているので、一応それ以外の位置からの赤外線の検出量は外乱として排徐することができる。したがって、本来の操作設定位置におけるユーザーの体温に対応した赤外線の検出量を基準値として、実際に入力される赤外線の量の大きさを判定しさえすれば、適正にユーザーの接近を検出し、ほぼ正確に上記のような対応を取ることができる
しかし、上記蓋体２の上部中央（やや後部寄り）には、上述のように調圧用の蒸気ユニット５１が設けられており、この蒸気ユニット５１には蒸気口５１ａ，５１ａが開口されている。そして、この蒸気口５１ａ，５１ａからは、炊飯時（沸騰維持工程）において高温の蒸気Ｖが吹き出される。したがって、仮に上記赤外線センサＭＳの受光部９０ａの受光面が上記蓋体２の上面（上板２０の上面）よりも低い位置にあったとしても、上記蓋体２の上面（上板２０の上面）が同図６に示すように蒸気ユニット５１のある後端側から前端２０ｂ側にかけてフラットであったとすると、上記赤外線センサＭＳの受光部９０ａの受光角θ１が後方側に広くなり、上記蒸気口５１ａ，５１ａからの蒸気Ｖの赤外線を検出してしまい、適正なユーザー検知を行うことができない問題がある（誤検知の発生）。その結果、上述の省エネ効果の高さが阻害される。
【００７９】
そこで、この実施の形態の構成では、まず上記蓋体２の上面部を構成する銘板２０の上記蒸気ユニット５１よりも前部側部分２０ａの全体をその前端２０ｂ側にかけて次第に高さが低くなるように所定角θ２だけ下降傾斜させた傾斜面に構成し（図６の構成を参照）、同下降傾斜面となった銘板２０の傾斜角の大きい前端寄り部分一側（タイマー予約スイッチＳＷ１の隣：図２参照）に円形の第１の受光用の開口２０ｃを形成するとともに、その下方側のマイコン基板設置空間２８内に設けられたマイコン基板６０Ｂ上の同軸部分に位置して、上述の受光部９０ａおよび受光回路部９０ｂよりなる人感センサＭＳを設置している。上記マイコン基板６０Ｂ上には、さらに液晶パネル６０Ａに対応する部分を除いて基板カバー２９が設けられていて、上記マイコン基板６０Ｂ上の所定の電子部品がカバーされるようになっているが、同マイコン基板カバー２９側の上記人感センサＭＳの受光部９０ａおよび上記銘板２０側第１の受光用開口２０ｃに同軸状に対応する部分には、同じく円形の第２の受光用の開口（第１の受光用開口２０ｃよりも少し大径）２９ａが開口されている。
【００８０】
そして、これらの構成により、図５に示すような上記人感センサＭＳ設置用の所定の深さの凹溝部が形成され、上記人感センサＭＳは同凹溝部内に収納される形で設置されており、上記第１、第２の受光用の開口２０ｃ、２９ａを介して受光部９０ａに入射する外部赤外線のみを正確に検出するようになっている。
【００８１】
しかも、この場合、上記銘板２０の上記ユニット５１よりも前部側部分２０ａは、上述のように所定の下降角度θ２で蒸気ユニット５１の前方側から前端２０ｂ側にかけて下降傾斜している。したがって、同銘板２０の傾斜面部分に位置して開口されている上記第１の受光用の開口２０ｃは、例えば図６に示すように、その円形の開口面が上記下降傾斜角θ２に対応して前傾したものとなり、図６に示した前後方向の受光検出角θ１も、その受光中心軸を垂直方向から前方側斜め下方にθ２分傾斜させたものとなる。
【００８２】
この結果、上記銘板２０の後端側（より具体的には上板２１の後端側水平面部）にある蒸気ユニット５１の蒸気口５１ａ，５１ａから吹き出される蒸気Ｖによる赤外線を検知することがなくなり、正確なユーザー検知が可能となる。
【００８３】
しかも、この実施の形態の場合、図１および図２から明らかなように、上記人感センサＭＳは、上記蒸気ユニット５１から炊飯器本体前端側方向に大きく距離を取って離間させ、かつ銘板２０の左側の一側部に寄せて設けられており、後端側中央部に位置して蒸気口５１ａ、５１ａを設けている上記蒸気ユニット５１とは、左右方向の位置が大きくずれており、前後方向においても対応しないようにオフセットして設置されている。したがって、上述の作用と合わせて、より誤検知が生じにくくなる。
【００８４】
さらに、この実施の形態の場合、上記の場合において、上記銘板２０の上面には所定の厚さの透明な防水シート８０が貼設されており、この防水シート８０は、上記銘板２０の第１の受光用の開口２０ｃ部分では、たとえば図５に示すように、凹レンズ形状に形成され、赤外線集光用の凹レンズ８０ａを形成している。
【００８５】
したがって、それにより受光部９０ａのある凹溝部内まで比較的広い範囲の赤外線を入射させることができるようになる。
【００８６】
さらに、また、この実施の形態では、上述した人感センサＭＳに加えて、さらに図１０〜図１２に示すように、上記蓋体２内のマイコン基板６０Bにおける例えば電池基板６０C部分に蓋体２の開閉を検知する傾斜センサ（蓋開閉センサ）IＳを設けて構成されており、同傾斜センサISの検出信号を利用してユーザーが蓋体２を開閉操作したときのタッチパネル部分の誤操作を防止するようにしている。
【００８７】
すでに述べたように、蓋体２上面側の操作パネル６０の操作スイッチ部分をタッチパネル構造（タッチスイッチ構造）にすると、指先で軽くタッチするだけで操作キーをオンにすることができ、操作、入力が著しく容易になる。
【００８８】
しかし、一方、本来操作スイッチを操作するわけではない蓋体２の開閉操作時に、意図せずにユーザーの指が操作キーに触れるということが起こりうる。この場合、いずれの場合にもユーザーが人感センサMSの検出対応エリア内に居ることから、人感センサMSはユーザーの存在を検知して、省エネモードを解除し、操作スイッチSW1〜SW９は操作可能とされ、LEDによる照明表示もなされ、液晶パネル６０Bも照明され、駆動されている。その結果、操作スイッチの誤操作が生じることになる。
【００８９】
そこで、この出願の発明の実施の形態では、当該傾斜センサISにより蓋体２の開閉状態を検出し、少なくとも蓋開状態では、仮に人感センサMSがユーザーの存在を検出したとしても、操作スイッチの操作キー入力を不可能とし、そのような誤操作入力を防止するようにしている。
【００９０】
この傾斜センサISは、例えば図１０および図１１に示すように、所定の厚さの正方形状の内実型のパッケージング９９内に、外部形状とは９０度位置をずらせた状態で、所定寸法小さい正方形状の遮光物移動空間９９aを設け、まず同遮光物移動空間９９a内に軸長の短い所定の直径の円柱体よりなる遮光物９９ｂをスライド移動可能に内装している。
【００９１】
この遮光物９９ｂは、上記パッケージング９９の前後左右４方向の傾斜に応じて遮光物移動空間９９a内を自由に移動し、例えば図１１に示すように、パッケージング９９の前後左右４方向の何れかに対応する遮光物移動空間９９aのコーナー位置（その時の傾斜状態により低くなった位置）a〜ｄに停止するようになっている。
【００９２】
一方、これら４つのコーナー位置a〜ｄの内の3つのコーナー位置a、ｂ、ｄの外側（パッケージング９９内）には、例えばa部分に赤外線発光ダイオードD、ｂ部分にフォトトランジスタT１、ｄ部分にフォトトランジスタT２を配置し、それらのアノード側、コレクタ側にVcc電源、グランド側に電流制限抵抗R、負荷抵抗R1、R2が接続されている。
【００９３】
したがって、同構成の場合、たとえば上記遮光物９９bがa位置にあるときは、フォトトランジスタT1、T2は共に遮光されて出力はOFF、OFF、次にｂ位置にあるときはフォトトランジスタT１はOFFでフォトトランジスタT２はON、またｃ位置にあるときはフォトトランジスタT１、T２は共にON、ｄ位置にあるときはフォトトランジスタT１はONでフォトトランジスタT２はOFFとなる。したがって、これらフォトトランジスタT１、T２の出力V1、V2のONとOFFの組み合わせにより、前後左右４方向の傾斜状態を判定することができる。
【００９４】
いま上記パッケージング９９が、例えば図１１の状態で、蓋体２が開かれた時に発光ダイオードDが上に来る状態（傾斜角45度）で設置されているとすると、遮光物９９ｂがa位置（傾斜角5度）にあるフォトトランジスタT１、T２共にOFFの時が蓋体2の閉状態、遮光物９９ｂがｃ位置にあるフォトトランジスタT2、T1共にONの時が蓋体2の開状態となる。
【００９５】
これら蓋体2の開閉状態を示す2つのフォトトランジスタT1、T2の出力V1、V2は、例えば図12に示すように、上記人感センサMSの出力Voutとともにマイコン制御ユニット１００に入力されて、以下のような操作部および表示部の省エネモード、被省エネモードの制御を行う。
＜人感センサセンサと傾斜センサを用いた省エネモード制御＞
次に図１３のフローチャートは、この出願の発明の実施の形態に係る電気炊飯器の上記人感センサMSと傾斜センサISを用いた省エネモード、非省エネモードの制御の内容を示している。
【００９６】
すなわち、同制御では、当該電気炊飯の電源回路にAC電源が接続されることにより制御を開始し、まず人感センサMS、傾斜センサISを起動し（ステップS１、S２）、操作キー照明用LEDの表示制御、液晶パネル６０Bの表示制御、操作キー入力制御を開始する（ステップS3）。これにより、電源投入後は先ず省エネモードには設定されず、操作および表示可能な状態に設定される。
【００９７】
ところで、上述のように人感センサMSは、電源を投入してから正規の検出特性を得られるまでに所定の時間（立ち上がり時間/１０〜３０秒）が必要である。そのため人感センサMSの検出信号（図９のVout信号）を入力し、ユーザーが所定の検出対応エリア内に居ることを判定するまでに同所定の時間が経過しているか否かを判定する（ステップS４）。
【００９８】
その結果、YES（所定時間経過）と判定されて初めて上記人感センサ検出入力値の判定動作に進む（ステップS5）。そして、同ステップS５の人感センサ検出入力値の判定で、ユーザーが上記人感センサの検出対応エリア内に居ることが判定されると、続いて上記傾斜センサISの検出入力値に基づく蓋体２の閉状態の判定処理（ステップS６）に進み、現在きちんと蓋体2が閉じられているか否かを判定する。
【００９９】
ここで、現在きちんと蓋体2が閉じられているとして、YESと判定されると、ただちに操作部および表示部の操作および表示制御を可能とすることもできるが、同蓋体２の閉状態は、蓋体２が開けられていない場合と、開けられていた状態から閉じられた直後の状態との2通りがあり、後者の場合には、蓋体2を閉じるときに操作スイッチを誤操作している可能性があることから、まずステップS９で現在蓋体2が閉じられているが所定の操作キーがON状態にある場合、該操作キーのONが蓋体2の開状態からのものであったか否かを判定し、そうでないことを確認したうえで省エネモードを解除し、ステップS１０の操作キー入力読み込み動作に進む。
【０１００】
他方、現在蓋体2が閉じられているが、それは開状態から閉められたばかりのものであり、しかも操作スイッチがON操作状態にあり、それは同蓋開状態から継続しているものであるYESの場合には、ステップS11に移って、現在操作キーからユーザーの指が離されて、操作スイッチがOFF状態になったか否かを判定する。この判定でYESとなるまでは、上記操作部の操作および表示部の表示を行うことができない省エネモードに維持する。
【０１０１】
他方、同ステップS11の判定でYESとなり、それまでの操作スイッチのON状態がリセットされると、上記省エネモードを解除してステップS10に進み、操作部の操作、表示部の表示を可能とし、必要な操作スイッチの操作入力を読み込んで、ステップS12の通常処理操作を実行する。
【０１０２】
他方、上記ステップS6の判定で蓋体2が開かれている判定されると（NO：閉状態ではない）、操作部の操作および表示部の表示が不可能な省エネモードに維持した上で、ステップS12の通常の処理操作に進む。
【０１０３】
さらに、上述のステップS５の判定で、ユーザーが上記人感センサMSの検出対応エリア内に居なかったとしてNOと判定された場合には、次にステップS７に移って、同ユーザーの居ない時間が所定時間以上継続しているか否かを判定し、所定時間以上ユーザー不在の状態が継続していると判定された場合には、つぎにステップS８に進んで、上述した操作部の操作および表示部の表示を不能（電源OFF）として電力消費を節約する「省エネモード」に制御し、必要な操作を待つスタンバイ状態を継続する（リターン制御）。
【０１０４】
他方、少なくともユーザーが所定の検出対応エリア内に居ない時間が所定時間以上には継続していないステップS７でNO判定の場合には、上記人感センサMSによりユーザーの存在が検出され（ステップS5でYES）、かつ傾斜センサISにより蓋体２の閉状態が検出された上記の場合（ステップS6でYES）と同様にステップS９に進んで、現在蓋体２が閉じられて入るが、その状態はユーザーが蓋体２を開状態から閉状態に操作したときのものであり、現在ON操作状態にある操作キーは、同蓋体2の開放状態から押されていたものであるか否かの判定動作に進む。
【０１０５】
この判定で、現在操作スイッチがON操作状態にあり、しかも、それは上記蓋開状態から継続しているものであるYESの場合には、さらにステップS11に移って、現在は操作キーからユーザーの指が離されて操作スイッチがOFF状態になったか否かを判定する。この判定でYESとなるまでは、上記操作部の操作および表示部の表示を行うことができない省エネモードが維持される。
【０１０６】
他方、同ステップS11の判定でYESとなり、それまでの操作スイッチのON状態が完全にリセットされると、上記省エネモードを解除してステップS10に進み、操作部の操作、表示部の表示を可能とし、必要な操作スイッチの操作入力を読み込んで、ステップS12の通常処理操作を実行する。
【０１０７】
これらの結果、以上の構成によると、傾斜センサISの検出結果に基づき、蓋体2が閉じられていると判定された場合には、人感センサMSの検出結果に基づいて、ユーザーが居る場合には、操作部の操作および表示部の表示が可能となり、適正な操作、設定が可能となる。
【０１０８】
他方、少なくとも傾斜センサISが蓋体2の開放を検出しているときには、仮に人感センサMSがユーザーの存在を検出したとしても、同傾斜センサISの検出結果の方を優先して、上記操作部の操作および表示部の表示が不可能な省エネモードに制御して、操作、設定を行なえないようにする。
【０１０９】
また、傾斜センサISの検出結果からだけ見ると、現在蓋体2が閉じられているとしても、その前の蓋体２の開放状態において人感センサMSによりユーザーの存在が検出され、同蓋体2の開放状態において操作キーがON操作されているような場合には、仮に傾斜センサISが蓋体2が閉状態にあると判定したような場合にも、当該操作キーが一旦OFFになってからでないと、上記省エネモードを解除して操作部の操作および表示部の表示を行なえないようにする。
【０１１０】
これらの結果、前述のような人感センサを設けた場合の問題を確実に解消することができる。
【０１１１】
また、上記のような人感センサMSを構成している赤外線センサは、蓋体2の銘板２０部分の受光用開口２０ｃ部分に設けられた凹レンズ部８０aが変色したり、汚れたりする問題があり、それにより検出機能が低下する問題がある。そこで、このような場合の対応策として、例えば上記省エネモードからスタンバイ状態への復帰を上記蓋体２の開閉動作を示す上記傾斜センサISの出力によって行うようにしても良い。そのようにすると、同凹レンズ部８０aが汚れていて、人感センサMSの検出精度が所定レベル以下に低下したような場合にも、確実に操作可能なスタンバイ状態に復帰させることができる。
【０１１２】
また、以上のような電気炊飯器の場合、当該電気炊飯器の電源回路に電源を通電した直後（上記制御開始時）の所定の時間内は、操作部および表示部を操作および表示可能な非省エネモードに制御するようにすることが好ましい。
【０１１３】
電源コンセントに電源プラグを挿入したときなど、当該電気炊飯器の電源回路に電源を通電した時は、仮に人感センサMSの適正な出力がないとしても、少なくともユーザーが炊飯器本体のそばに居り、今から炊飯器を使用しようとしているときであると考えられる。したがって、その後所定の時間内は、人感センサMSや傾斜センサISの出力に関係なく、操作部および表示部を操作および表示可能な非省エネモード（スタンバイモード）に制御し、操作設定を可能とすることもできる。
【０１１４】
そのようにすると、上述のように、単に人感センサMSの立ち上がりに必要な短時間内だけスタンバイ状態に制御する場合に比べて、より利便性が向上する。
【０１１５】
また、以上の構成では、蓋開閉センサが遮光物移動型の傾斜センサISにより構成されている。したがって、同傾斜センサISが蓋体２の開状態または閉状態を検出した場合、所定の時間をおいて、操作部および表示部を省エネモードまたは非省エネモードに制御するように構成される。
【０１１６】
蓋開閉センサとして、上述のような遮光物移動型の傾斜センサISを採用した場合（図１１の構成を参照）、蓋体２を開いた時または閉じた時に移動した遮光物９９ｂが静止するまでに所定の時間がかかる。したがって、蓋体２開閉時のセンサ出力をそのまま読み込むと、チャタリング状態の出力信号により誤作動、誤制御の原因となる。
【０１１７】
そこで、傾斜センサISが蓋体２の開状態または閉状態を検出したとしても、直ちに同検出信号を使用して制御するのではなく、所定の時間をおいて、検出信号が安定してから操作部および表示部を省エネモードまたは非省エネモードに制御するようにし、誤作動、誤制御を防止する。
【０１１８】
ただし、そのような構成を採用すると、同所定の待機時間が短いとは言え、蓋を閉めてから所定の時間は操作、設定ができないことになり、ユーザーが違和感を持つことも考えられる。そこで、少なくとも蓋が開かれている状態から蓋が閉じられた状態に移行したときには、ユーザーが存在することは明らかであるから、人感センサMSの出力に関係なく、少なくとも傾斜センサISの出力から蓋が閉められたことを判定できる限りにおいて、所定の時間内は操作部の操作および表示部の表示を可能として、違和感を解消させるようにする構成も必要に応じて採用される。
【０１１９】
このような構成を採用すると、蓋閉時の人感センサMSの検出信号の不安定さによる誤制御を回避することも可能となる。
＜この出願の発明の実施の形態による電気炊飯器の主たる構成と作用効果＞
以上のように、この出願の発明の実施の形態に係る電気炊飯器は、内釜と、この内釜を取り出し可能に収納する炊飯器本体と、この炊飯器本体内にあって上記内釜を加熱する内釜加熱手段と、上記炊飯器本体の上部に開閉可能に設けられ、操作部、表示部を有する蓋体とからなる電気炊飯器であって、上記蓋体の操作部および表示部を省エネ状態に制御して消費電力を低減する省エネモードを有するとともに、上記炊飯器本体に対するユーザーの存在を検出する人感センサおよび上記蓋体の開閉を検出する蓋開閉センサを備え、それら両センサの検出結果に基づいて上記省エネモードの制御を行うようになっており、特に蓋開閉センサが蓋体の開放を検出したときには、上記人感センサの検出結果よりも該蓋開閉センサの検出結果の方を優先し、上記操作部および表示部を操作および表示が不可能な省エネモードに制御するようになっている。
【０１２０】
すでに述べたように、人感センサを備え、炊飯器の動作状態の如何にかかわらず、少なくともユーザーがいない場合には、蓋体の操作部および表示部を省エネ状態に設定して消費電力を低減するようにすると、待機状態、非待機状態、その他、炊飯器動作状態の如何にかかわらず、少なくともユーザーが所定の対応エリア内に居ない場合には、蓋体の操作部および表示部を省エネ状態に設定して可能な限り消費電力を低減することができる。
【０１２１】
しかし、そのような構成を採用した場合、人感センサがユーザーの存在を検出した場合には必ず省エネモードが解除されて、表示部の表示が開始され、操作部の操作スイッチの操作が可能となることから、実際には操作スイッチの操作が想定されない蓋体の開閉操作時にもスイッチ操作が可能となるので、蓋を開くときや閉める時にユーザーの指が操作スイッチに触って操作スイッチがオンになる誤操作が生じる恐れがある。特に最近ではタッチパネル式のスイッチ構造が普及してきており、そのようなスイッチ構造を採用した場合には、同問題が一層顕著となる。
【０１２２】
そこで、この発明の実施の形態では、上記のように人感センサとは別に、蓋体が開かれたことを検出する蓋開閉センサを設けており、少なくとも蓋開閉センサが蓋体の開放を検出したときには、仮に人感センサがユーザーの存在を検出していたとしても、同人感センサの検出結果よりも蓋開閉センサの検出結果の方を優先し、操作部および表示部を表示および操作が不能な省エネモードに制御するようにしている。
【０１２３】
したがって、たとえ人感センサがユーザーの存在を検出し、上記操作部および表示部の省エネ状態を解除し、表示部の表示および操作部の操作を可能にしようとしたとしても、蓋開閉センサにより蓋体が開かれたことが検出された場合には、それを優先して上記省エネモードを非解除状態に制御し、表示部の表示および操作部の操作を行うことができないようにして、誤ったスイッチ操作による操作設定が生じないようにしている。
【０１２４】
以上の結果、この出願の発明の実施の形態によると、人感センサによりユーザーの存在を検出できることから、ユーザーが居なくなると自動的に省エネモードに移行して、省エネ機能を実現することができるので、従来に比べて省エネ性能が大きく向上する。また、逆に省エネモードの解除が必要になると、何らのスイッチ操作等を要することなく、ユーザーが電気炊飯器に近づくだけで、自動的に省エネ状態が解除されて、表示および操作設定が可能となるので非常に便利である。
【０１２５】
しかも、この出願の発明の場合、同人感センサとは別に、蓋体の開閉状態を検出する蓋開閉センサが設けられており、実質的に操作および表示の必要がない蓋体が開かれたような時には、仮に人感センサがユーザーの存在を検出していても、操作および表示を行わせないようにすることができるので、不要な操作および表示を回避し、誤操作を防止することができる。
（その他の実施の形態）
まず、以上の実施の形態の説明では、この出願の発明をセラミック製の内釜とセラミック製の外釜とを備えた電磁誘導型の電気炊飯器に適用した場合について説明したが、この出願の発明は、その本質的な技術的思想の内容から明らかなように、決して以上のような特定の構成の電気炊飯器にのみ適用されるものではなく、たとえば外釜を有しないセラミック製内釜の電気炊飯器、セラミック製でない金属製内鍋の電気炊飯器、セラミック製以外の非金属製内鍋の電気炊飯器、電磁誘導型でないヒータ式の電気炊飯器など、種々の構成の電気炊飯器一般に適用しても、全く同様に上述のような有益な作用効果を奏することができる。
【０１２６】
また、以上の実施の形態では、ユーザーの存在を検出する人感センサMSの一例として、ユーザーの体温に応じてユーザーの体から放射される赤外線量を受光部に入射させて所定の位置におけるユーザーの存在を検出する焦電型の赤外線センサを採用したが、これは例えば赤外線発光部と赤外線受光部とを備え、赤外線発光部から放射され、ユーザーの体に当たって反射した赤外線を赤外線受光部で受光するようにした反射光受光型の赤外線センサによって構成することもできる。また、固体撮像素子を用いた画像検出方式の人検知手段を採用することもできる。
【０１２７】
また、蓋体の開閉を検出する蓋開閉センサについても、上述のような発光ダイオードと一対のフォトトランジスタ、移動可能な遮光物の組み合わせによるもの以外の各種の傾斜センサの採用が可能である。また、蓋の開閉を検出するという点で考えると、必ずしも傾斜センサに限られるものではなく、例えば発光素子と受光素子を組み合わせた近接センサやリミットスイッチの採用も可能である。
【０１２８】
さらに、以上の実施の形態の場合、図５に示すように、銘板２０の上面には所定の厚さの透明な防水シート８０が貼設されており、この防水シート８０は、銘板２０の第１の受光用の開口２０ｃ部分では、凹レンズ形状に成形され、赤外線集光用の凹レンズ８０ａを形成している。そして、それにより人感センサ９０の受光部９０ａのある凹溝部内まで比較的広い範囲の赤外線を効率良く入射させるようにしている。
【０１２９】
しかし、銘板２０には、一般にPET製の合成樹脂が使用され、同樹脂は赤外線を通しにくい性質を有している。そのため、そのままでは必ずしも人感センサMSの検出感度を高くするのに十分ではない、そこで、同凹レンズ８０a部分の厚さを他の部分に比べて薄くするとともに、受光部９０aの受光レンズ９１には特に感度の高い凸レンズを採用し、それらの組み合わせによって、可能な限り検出感度が高くなるように構成する。
【０１３０】
また、上述のように、人感センサMSは、一対の焦電素子９３a、９３aを並設して赤外線焦電素子９３が構成されており、これら一対の焦電素子９３a、９３aにより、入射する赤外光の光源までの距離を検知し、各々の検知距離の差の変化によりユーザーの動きを検知して、ユーザーがいるか居ないかを判定するようになっている。
【０１３１】
したがって、それら一対の焦電素子９３a、９３aをユーザーに対して正面方向に平行に並設したのでは、２つの焦電素子９３a、９３aにより検知される検知距離に差が生じにくく、検出感度を有効に向上させることができにくい。
【０１３２】
そこで、より好ましくは、それら一対の焦電素子９３a、９３aをユーザーに対して斜めになるように並設する。
【符号の説明】
【０１３３】
１は炊飯器本体ケース、１ａは外ケース、１ｂは底ケース、２は蓋体、３は内釜、３ａは底部、３ｂは彎曲部、３ｃは側部、３ｄは開口部、４は保護枠、４Ａは第１の保護枠ユニット、４Ｂは第２の保護枠ユニット、５は内釜収納溝、６はセラミック製の外釜、６ａは底部、６ｂは彎曲部、６ｃは側部、６ｄは側部上端、7は磁気遮蔽板、８は肩部材、９はコイル台、９０は凹溝部、９０ａは受光部、９０ｂは受光回路部、１００はマイコン制御ユニット、１１１は操作基板回路制御手段、１１２は液晶パネル駆動制御手段、１１４はLED駆動手段、１１５はワークコイル等加熱出力制御手段、Ｃ１は第1のワークコイル、Ｃ２は第2のワークコイル、Ｃ３は第3のワークコイル、Ｇ１は第1の誘導発熱部、Ｇ２は第2の誘導発熱部、Ｇ３は第3の誘導発熱部、ＭＳは人感センサ、IＳは傾斜センサである。
【図１】
2015228952.tif 000003
【図２】
2015228952.tif 000004
【図３】
2015228952.tif 000005
【図４】
2015228952.tif 000006
【図５】
2015228952.tif 000007
【図６】
2015228952.tif 000008
【図７】
2015228952.tif 000009
【図８】
2015228952.tif 000010
【図９】
2015228952.tif 000011
【図１０】
2015228952.tif 000012
【図１１】
2015228952.tif 000013
【図１２】
2015228952.tif 000014
【図１３】
2015228952.tif 000015